(57)【特許請求の範囲】
【請求項１】
軸筒と、
該軸筒の後端に設けられ、軸筒前方に向けて略平板状に延びるクリップ本体と、
前記軸筒又はクリップ本体の何れか一方から他方に向けて立設し、弾性力を有するよう形成された複数の棒状突起体と、を有し、
前記複数の棒状突起体は、
その高さ及び外径毎に複数のグループに分けられ、その高さ及び外径が段階的に変化するよう設けられたことを特徴とする筆記具用クリップ。
【請求項２】
前記棒状突起体の先端部は、外周をＲ面取りした曲面状の曲面部と、中央部分を平坦に形
成した平坦部と、により形成したことを特徴とする請求項１記載の筆記具用クリップ。
【請求項３】
前記軸筒の外表面と前記複数の棒状突起体の先端部との間隔が、軸筒前方又は軸筒後方へ向かって広くなるようにしたことを特徴とする請求項１又は２記載の筆記具用クリップ。
【発明の詳細な説明】
【技術分野】
【０００１】
本発明は、筆記具に取付けられているクリップに関する。
【背景技術】
【０００２】
従来から、ボールペンやシャープペンシルなどの筆記具には、携帯時の利便性を向上さ
せるためにクリップが取付けられている。近年は、携帯時の利便性のみならず、厚手の物
を挟持可能なように、筆記具の軸筒に対して開閉可能に形成されるクリップが開示されて
いる。
【０００３】
特許文献１に開示される開閉可能な筆記具用クリップは、さらに挟持力を向上するため
に、クリップと軸筒が接触する部分の形状が工夫されている。具体的には、クリップ部材
の先端部の内壁に、対向する筒体（軸筒）の外壁面の曲率と略同曲率の挟持面を形成し、
この挟持面と筒体（軸筒）の外壁面とを圧接可能に形成したものである。
【先行技術文献】
【特許文献】
【０００４】
【特許文献１】特開２００７−２５３５４７号公報
【発明の概要】
【発明が解決しようとする課題】
【０００５】
上述の筆記具用クリップおいては、挟持力を増すことはできる。しかし、被挟持物が傷
つき易いものの場合は、柔軟に挟み込むことができず、傷を付けやすい。特に、傷つき易
い厚手の挟持物の場合には、クリップが大きく開いた状態におけるコイルスプリングの弾
発力は非常に強く、また、挟持面は線接触となるため面圧が高くなり、被挟持物の破損の
原因となる。
【課題を解決するための手段】
【０００６】
本発明は、軸筒又はクリップ本体の何れか一方から他方に向けて、弾力性を有する棒状突起体を複数設けた筆記具用クリップである。
【発明の効果】
【０００７】
本発明によれば、エラストマー等の弾性力を有する複数の棒状突起体を複数設けている
ので、十分な挟持力を発揮することができる。そして、厚手で傷等が付きやすい被挟持物
の場合には、棒状突起体が弾性的に可撓し、その適正な弾性力で被挟持物を挟持するので
、クリップで挟むことによる被挟持物の破損を防止することができる。
【図面の簡単な説明】
【０００８】
【図１】本発明に係る筆記具用クリップを有する筆記具の斜視図である。
【図２】本発明に係る筆記具用クリップの第１実施例を示す図である。
【図３】本発明に係る筆記具用クリップの横端面図（図１のＩＩＩ−ＩＩＩ端面図）である。
【図４】本発明に係る筆記具用クリップの第２実施例を示す図である。
【発明を実施するための形態】
【０００９】
以下、図面を参照しつつ本発明の実施例について説明する。なお、以下の説明において、前方向は、ペン先側の方向を指す。
【実施例１】
【００１０】
図１は筆記具１の全体斜視図である。円筒筒状に形成される軸筒２は、前方には漸次縮径されて形成される先口３が設けられている。先口３の先端からは、ボールペンのペン先４が突出している。一方、軸筒２の後端には、押圧操作によりボールペンのペン先４を出没させるノック部５が設けられている。図示しないが、軸筒２の内部には、ペン先４の出没機構が設けられている。
【００１１】
軸筒２の外表面後部には、本発明に係る筆記具用クリップ１０が設けられている。筆記具用クリップ１０には、クリップ本体１１が形成されている。クリップ本体１１は、基部１１ａにより、軸筒２の後部外表面と固定される。基部１１ａの他端側からは、軸筒２の軸心に沿って前方に平板状に延びる板状部１１ｂが形成されている。
【００１２】
軸筒２の外表面と対向する板状部１１ｂの面には、軸筒２に向って立設する棒状突起体１２が複数設けられている。棒状突起体１２は、弾性力を有する材料（例えばエラストマー）で形成されており、所定の押圧力により可撓性を有する。
【００１３】
図２及び図３に本実施例（第１実施例）における棒状突起体１２の形状の詳細及び配列状態を示す。棒状突起体１２は、略中実円筒状に形成される。そして、棒状突起体１２の先端部１２ａ（棒状突起体１２が軸筒２の外表面と対向する板状部１１ｂの面に固定される一方端に対する他端側の端部）は、周囲をＲ面取り形状（換言すれば曲面状）に形成されている（曲面部１２ａ１）。先端部１２ａの平面視中央部分は、平坦に形成されている（平坦部１２ａ２）。
【００１４】
複数設けられる棒状突起体１２は、その一方端から他端側の端部（先端部１２ａ）までの長さ（高さ）及び外径が種々異なったものが設けられている。本実施例においては、クリップ本体１１の前方側から２列目まで（合計４本の棒状突起体１２）をＷ１、３列目と４列目（合計６本の棒状突起体１２）をＷ２、５列目〜７列目（合計９本の棒状突起体１２）をＷ３、８列目〜１１列目（合計１２本の棒状突起体１２）をＷ４とした４つのグループに分け、それぞれの棒状突起体１２の高さ及び外形をＷ１：ｈ１，ｄ１、Ｗ２：ｈ２，ｄ２、Ｗ３：ｈ３，ｄ３、Ｗ４：ｈ４，ｄ４としたとき、以下の式の関係となる。
ｈ１＜ｈ２＜ｈ３＜ｈ４、ｄ１＞ｄ２＝ｄ３＝ｄ４・・・式（１）
【００１５】
全ての棒状突起体１２を同質材料で形成すれば、前方端のＷ１グループの棒状突起体１
２は、外径が大きく高さが低いため、他のグループの棒状突起体１２と比べて弾性力が高
くなる。また、本実施例の場合、Ｗ１〜Ｗ４に亘って、段階的に軸筒２の外表面との間隔
が狭くなる。よって、クリップ本体１１の奥側（Ｗ４のグループ）では薄手の被挟持物を
挟持でき、前方側で厚手の被挟持物を挟持することができる。そして、被挟持物の厚みに
合わせて、各棒状突起体１２は可撓して適切な挟持力を発揮するので、傷つき易い被挟持
物であっても、挟持による傷等の破損を防止することができる。さらに、先端部１２ａの
外周の形状を、Ｒ面取りした曲面部１２ａ１により構成しているので、クリップ本体１１
への被挟持物の抜差し時の傷等による破損を防止できる。さらに、棒状突起体１２の可撓
による曲面部１２ａ１及び平坦部１２ａ２の被挟持物への当接時は、当接部の点接触を防
止できるので、面圧を低減でき、被挟持物に対する傷等による破損を防止することができ
る。
【００１６】
なお、本実施例においては、棒状突起体１２をクリップ本体１１の板状部１１ｂから軸筒２に向けて立設させたが、これとは逆に、軸筒２からクリップ本体側に向けて立設するよう形成してもよい。
【００１７】
さらに、被挟持物と軸筒２との当接時の面圧を低減するため、軸筒２が棒状突起体１２と対向する面を平坦に形成しても良い。
【実施例２】
【００１８】
本発明に係る第２実施例を図４に示す。筆記具用クリップ２０は、図１の筆記具１の筆記具用クリップ１０に換えて装着できるものである。よって、第１実施例と異なる部分のみ説明し、その他は説明を省略し、同符号を付する。
【００１９】
本実施例においては、棒状突起体１２の配列を、第１実施例と異ならせた。すなわち、クリップ本体１１の前方側から４列目まで（合計１２本の棒状突起体１２）をＸ１、５列目〜７列目（合計９本の棒状突起体１２）をＸ２、８列目と９列目（合計６本の棒状突起体１２）をＸ３、１０列目と１１列目（合計６本の棒状突起体１２）をＸ４とした４つのグループに分け、それぞれの棒状突起体１２の高さ及び外形をＸ１：ｈ１，ｄ１、Ｘ２：ｈ２，ｄ２、Ｘ３：ｈ３，ｄ３、Ｘ４：ｈ４，ｄ４としたとき、以下の式の関係となるよう形成した。
ｈ１＞ｈ２＞ｈ３＞ｈ４、ｄ１＝ｄ２＝ｄ３＜ｄ４・・・式（１）
【００２０】
本実施例では、クリップ本体の前方側から、Ｘ１〜Ｘ４に亘って、段階的に、軸筒２と棒状突起体１２の先端部１２ａとの間隔が広くなるように設定した。
【００２１】
以上、本発明の実施例を詳細に説明したが、本発明はこれに限定されることなく、本発
明の要旨を変更しない範囲で適宜変更することができる。特に、棒状突起体１２の配列や
、弾性力の設定は、想定する被挟持物に合わせて、適宜形成することができる。
【符号の説明】
【００２２】
１  筆記具
２  軸筒
１０  筆記具用クリップ
１１  クリップ本体
１２  棒状突起体
１２  合計
１２  棒状突起体
１２ａ  先端部
１２ａ１  曲面部
１２ａ２  平坦部
２０  筆記具用クリップ
【図１】
0005839871.tif 000002
【図２】
0005839871.tif 000003
【図３】
0005839871.tif 000004
【図４】
0005839871.tif 000005